(57)【要約】【課題】高さを自在に調整することができるので、掘削された地盤を余堀り分だけ一部埋め戻して深さを調整したり丁度良い厚さの横木を探したり横木の厚さを調整したりする作業が不要で配管施工の作業性を高めることができ、また施工現場の状況に応じて施工現場で所定の長さに切断して用いることができ自在性に優れる配管支持具を提供することを目的とする。  【解決手段】本発明の配管支持具は、所定の厚さで形成された台座本体と、前記台座本体の上面の長手方向に連続して形成された溝部と、前記台座本体の下面に他の台座本体に形成された前記溝部に嵌合可能に形成された突条部と、を有する台座部材を備える。【選択図】図１
2005106201.tif 000002
【特許請求の範囲】
【請求項１】
所定の厚さで形成された台座本体と、前記台座本体の上面の長手方向に連続して形成された溝部と、前記台座本体の下面に他の台座本体に形成された前記溝部に嵌合可能に形成された突条部と、を有する台座部材を備えていることを特徴とする配管支持具。
【請求項２】
固定部材本体と、前記固定部材本体の下端部に形成され前記台座部材の前記溝部に嵌合される嵌合部と、前記固定部材本体の前記嵌合部より上方の所定部に形設された管当接部と、を有する固定部材を備えていることを特徴とする請求項１に記載の配管支持具。
【請求項３】
前記台座部材の前記台座本体が、長手方向の両端部に開口部を有する中空状に形成されていることを特徴とする請求項１又は２に記載の配管支持具。
【請求項４】
前記台座部材の前記台座本体の前記開口部を閉塞する蓋部を備えていることを特徴とする請求項３に記載の配管支持具。
【請求項５】
前記固定部材の前記嵌合部が、前記管当接部側で幅狭に形成されていることを特徴とする請求項２乃至４の内いずれか１に記載の配管支持具。
【発明の詳細な説明】
【技術分野】
【０００１】
本発明は、各種配管を敷設する際に使用する配管支持具に関し、特に下水管，配水管，導水管，雨水管，雑水管等の流水管や電線，通信用ケーブル等の保護管等の配管を敷設する際に使用する配管支持具に関するものである。
【背景技術】
【０００２】
従来より、下水管，配水管，導水管，雨水管，雑水管等の流水管や電線，通信用ケーブル等の保護管等の配管を敷設する際、特に比較的軟弱な地盤においては、所定の深さで掘削した地盤に木材，煉瓦等で形成された枕胴木と呼ばれる横木を敷き並べ、横木の上に下水管等の管を敷設している。この場合、管が載置される横木の上面の高さを一致させるか所定の勾配が形成されるように横木を所定の高さに設定するとともに、横木の上に載置された管が横方向にずれないように固定する必要がある。横木の上に載置される管が、鉛直方向（高さ方向）や水平方向（横方向）に曲って敷設されないようにするためである。
ところが、横木を埋設するために地盤を掘削する際、横木の厚さ以上に深く掘れてしまう余堀りが発生するため、横木の上面の高さを所定の高さに設定するために、掘削された地盤を一部埋め戻して深さを調整したり、丁度良い高さの横木を探したり調整したりする作業等が必要で、配管施工現場の作業性を低下させている。
また、横木の上に載置された管が横方向にずれないように固定するためには、例えば、横木に載置された管の両側から楔を横木と管の間に差し込んで固定する方法が用いられている。この方法の場合、管が重量の大きなコンクリート製等で形成されている場合には安定に固定することができるが、管が軽量の合成樹脂製で形成されている場合には、楔が動き易いため確実性に欠け、また楔を固定させる別の作業が必要になり、作業が煩雑化し作業性を著しく低下させている。
そこで、管を安定に固定するための技術が提案されている。
【０００３】
従来の技術としては、例えば、（特許文献１）に「台座本体と、前記台座本体の中央部の上面に設けた嵌合部と、を有する枕木台座」が開示されている。
【特許文献１】特開２００１−２８０５４６号公報
【発明の開示】
【発明が解決しようとする課題】
【０００４】
しかしながら上記従来の技術においては、以下のような課題を有していた。
（１）（特許文献１）に開示の技術は、嵌合部を有しているので、台座本体の上に載置された管が横方向にずれないように固定することはできるが、掘削された地盤を余堀りに相当する分だけ一部埋め戻して深さを調整したり、丁度良い厚さで形成された台座本体や別の横木を探したり台座本体や横木の厚さを調整したりする作業が必要で、配管施工の作業性が低いという課題を有していた。
（２）台座本体や横木の厚さを調整する場合、作業性を高めるために施工現場で電動鋸を使用して台座本体や横木を切断するため、怪我をし易く、また雨天時には漏電のおそれがあるという課題を有していた。
（３）嵌合部が台座本体に固定化されているので、嵌合部の幅より外径の小さな管を嵌合部に嵌合させることができず自在性に欠け、種々の外径の管に対応するために種々の幅の嵌合部が形成された台座本体を準備しなければならず煩雑化するという課題を有していた。
【０００５】
本発明は上記従来の課題を解決するもので、高さを自在に調整することができるので、掘削された地盤を余堀り分だけ一部埋め戻して深さを調整したり丁度良い厚さの横木を探したり横木の厚さを調整したりする作業が不要で配管施工の作業性を高めることができ、また施工現場の状況に応じて施工現場で所定の長さに切断して用いることができ自在性に優れる配管支持具を提供することを目的とする。
【課題を解決するための手段】
【０００６】
上記従来の課題を解決するために本発明の配管支持具は、以下の構成を有している。
本発明の請求項１に記載の配管支持具は、所定の厚さで形成された台座本体と、前記台座本体の上面の長手方向に連続して形成された溝部と、前記台座本体の下面に他の台座本体に形成された前記溝部に嵌合可能に形成された突条部と、を有する台座部材を備えた構成を有している。
この構成により、以下のような作用が得られる。
（１）台座本体の上面の長手方向に連続して形成された溝部と、台座本体の下面に他の台座本体に形成された溝部に嵌合可能に形成された突条部と、を有する台座部材を備えているので、所定の厚さで形成された複数の台座部材を積み重ねて高さを自在に調整することができ、掘削された地盤を余堀り分だけ一部埋め戻して深さを調整したり丁度良い厚さの横木を探したり横木の厚さを調整したりする作業が不要で、配管施工の作業性を高めることができる。
（２）溝部が台座本体の上面の長手方向に連続して形成されているので、長尺の台座部材を形成しておき、施工現場の状況に応じて施工現場で所定の長さに切断して用いることができ自在性に優れる。どこで切断しても溝部が台座本体の上面の長手方向に連続して形成されるからである。
【０００７】
ここで、台座部材としては、硬質塩化ビニル樹脂，ポリプロピレン樹脂，ＡＢＳ樹脂，高密度ポリエチレン樹脂等の合成樹脂製、木材製等の材質で形成されたものが用いられる。加工が容易で、かつ圧縮強度が高いからである。なかでも、硬質塩化ビニル樹脂，ポリプロピレン樹脂，ＡＢＳ樹脂，高密度ポリエチレン樹脂等の合成樹脂製で形成されたものが好適に用いられる。木材製の台座部材と比較して容易に切断できるとともに、地盤に埋設されて長期間放置されても腐食し難く、またシロアリ等が食い入らず耐久性に優れるからである。
【０００８】
台座本体としては、台座本体の下面と平行な上面を有し、長手方向と直交する横断面が略方形状，略矩形状，略台形状等の形状に形成されたものが用いられる。載置される管を安定に支持するためである。
【０００９】
溝部としては、長手方向と直交する横断面が凹状のさね溝状、蟻溝状等に形成されたものが用いられ、突条部としては、他の台座本体の上面に形成された溝部に嵌合可能な突条に形成されたものが用いられる。これにより、台座部材の上面に形成された溝部に他の台座部材の下面に形成された突条部を嵌合して複数の台座部材を安定に積み重ねることができる。
【００１０】
本発明の請求項２に記載の発明は、請求項１に記載の配管支持具であって、固定部材本体と、前記固定部材本体の下端部に形成され前記台座部材の前記溝部に嵌合される嵌合部と、前記固定部材本体の前記嵌合部より上方の所定部に形設された管当接部と、を有する固定部材を備えた構成を有している。
この構成により、請求項１で得られる作用に加え、以下のような作用が得られる。
（１）嵌合部と管当接部とを備えた固定部材を備えているので、嵌合部を台座部材の台座本体の上面に形成された溝部に嵌合させて、載置された管の外周面に管当接部を当接させて管が横方向にずれるのを防止でき安定性に優れる。
【００１１】
ここで、固定部材としては、２個を一組として、載置される管の外周面の一部を点や面で当接する略円弧状，略傾斜面状，略垂直面状等に形成された管当接部を有し、管が横方向にずれないように固定するものが好適に用いられる。台座部材の溝部に嵌合される固定部材間の距離を自在に設定することができ種々の外径の管に対応することができ自在性に優れるからである。
なお、管当接部を略円弧状，略Ｕ字状，略Ｖ字状，略コ字状等の凹状に形成して、載置される管を管当接部内に落とし込むようにして、１個の固定部材で管を固定するようにすることもできる。
【００１２】
固定部材の嵌合部としては、台座本体に形成された溝部の内側面に嵌合部の外側面が嵌合される形状と大きさに形成されたものが用いられる。
【００１３】
なお、固定部材の材質としては、請求項１で説明した台座部材の材質と同様なので、説明を省略する。
【００１４】
本発明の請求項３に記載の発明は、請求項１又は２に記載の配管支持具であって、前記台座部材の前記台座本体が、長手方向の両端部に開口部を有する中空状に形成された構成を有している。
この構成により、請求項１又は２で得られる作用に加え、以下のような作用が得られる。
（１）台座部材の台座本体が長手方向の両端部に開口部を有する中空状に形成されているので、軽量にできるとともに、切断面が狭いので施工現場で所定の長さに切断する際に容易に切断することができ作業性に優れる。また、中実状に形成された台座部材を切断する際には、切断面が広いため電動鋸等を用いなければ作業性が低下するが、切断面が狭いので鋸を用いて手動で容易に切断することができる。電動鋸等を用いないので雨天時でも漏電のおそれがない。
（２）中実状に形成された台座本体と比較して少ない資材で製造できるため省資源性に優れる。
【００１５】
本発明の請求項４に記載の発明は、請求項３に記載の配管支持具であって、前記台座部材の前記台座本体の前記開口部を閉塞する蓋部を備えた構成を有している。
この構成により、請求項３で得られる作用に加え、以下のような作用が得られる。
（１）開口部を閉塞する蓋部を備えているので、蓋部で開口部を閉塞した後に地盤内に埋設することで開口部内に地盤を構成する土，砂，砕石等が入らず、埋設された台座部材の周囲の地盤が沈下するのを防止することができる。
【００１６】
ここで、蓋部の材質としては、請求項１で説明した台座本体の材質と同様のものを用いることができるので、説明を省略する。
また、開口部内にコンクリート，モルタル，目地シール材等を充填し、これを蓋部として開口部を閉塞することもできる。
【００１７】
本発明の請求項５に記載の発明は、請求項２乃至４の内いずれか１に記載の配管支持具であって、前記固定部材の前記嵌合部が、前記管当接部側で幅狭に形成された構成を有している。
この構成により、請求項２乃至４の内いずれか１で得られる作用に加え、以下のような作用が得られる。
（１）固定部材の嵌合部が管当接部側で幅狭に形成されているので、溝部に嵌合部を嵌合させた固定部材をハンマー等で打ち込んで管当接部間に載置される管の方向にスライドさせて移動させ易いため作業性に優れ、また管の外周面に管当接部を確実に当接させることができ、さらに楔効果により反対方向にスライドし難くすることができ管を確実に固定することができる。
【発明の効果】
【００１８】
以上のように、本発明の配管支持具によれば、以下のような有利な効果が得られる。
請求項１に記載の発明によれば、
（１）台座本体の上面の長手方向に連続して形成された溝部と、台座本体の下面に他の台座本体に形成された溝部に嵌合可能に形成された突条部と、を有する台座部材を備えているので、所定の厚さで形成された複数の台座部材を積み重ねて高さを自在に調整することができ、余堀りに対応して掘削された溝を一部埋め戻して深さを調整したり丁度良い厚さの横木を探したり横木の厚さを調整したりする作業が不要で配管施工の作業性を高めることができ、自在性に優れるとともに作業性に優れた配管支持具を提供することができる。
（２）溝部が台座本体の上面の長手方向に連続して形成されているので、長尺の台座部材を形成しておき、施工現場の状況に応じて施工現場で所定の長さに切断して用いることができ自在性に優れた配管支持具を提供することができる。
【００１９】
請求項２に記載の発明によれば、請求項１の効果に加え、
（１）嵌合部と管当接部とを備えた固定部材を備えているので、嵌合部を台座部材の台座本体の上面に形成された溝部に嵌合させて、載置された管の外周面に管当接部を当接させて管が横方向にずれるのを防止でき安定性に優れた配管支持具を提供することができる。
【００２０】
請求項３に記載の発明によれば、請求項１又は２の効果に加え、
（１）台座部材の台座本体が長手方向の両端部に開口部を有する中空状に形成されているので、軽量にできるとともに、施工現場で所定の長さに切断する際に容易に切断することができ作業性に優れた配管支持具を提供することができる。
（２）中実状に形成された台座本体と比較して資材を少なくできるので、省資源性に優れた配管支持具を提供することができる。
【００２１】
請求項４に記載の発明によれば、請求項３の効果に加え、
（１）開口部を閉塞する蓋部を備えているので、蓋部で開口部を閉塞した後に地盤内に埋設することで開口部内に地盤を構成する土，砂，砕石等が入らず、埋設された台座部材の周囲の地盤が沈下するのを防止することができる配管支持具を提供することができる。
【００２２】
請求項５に記載の発明によれば、請求項２乃至４の内いずれか１の効果に加え、
（１）固定部材の嵌合部が管当接部側で幅狭に形成されているので、溝部に嵌合部を嵌合させた固定部材をハンマー等で打ち込んで管当接部間に載置される管の方向にスライドさせて移動させ易いため作業性に優れ、また管の外周面に管当接部を確実に当接させることができ、さらに楔効果により反対方向にスライドし難くすることができ管を確実に固定することができる配管支持具を提供することができる。
【発明を実施するための最良の形態】
【００２３】
以下、本発明を実施するための最良の形態を、図面を参照しながら説明する。
（実施の形態１）
図１は本発明の実施の形態１における配管支持具の斜視図であり、図２（ａ）は実施の形態１における配管支持具の固定部材の正面図であり、図２（ｂ）は固定部材の側面図であり、図２（ｃ）は固定部材の底面図であり、図３（ａ）は実施の形態１における配管支持具の変形例を示す斜視図であり、図３（ｂ）は蓋部で閉塞された台座部材の開口部を示す図３（ａ）のＡ−Ａ線における要部断面図であり、図４は配管支持具の台座部材の変形例を示す横断面図である。
図１において、１は実施の形態１における配管支持具、２は配管支持具１の台座部材、３は配管支持具１の固定部材である。
４は硬質塩化ビニル樹脂，ポリプロピレン樹脂，ＡＢＳ樹脂，高密度ポリエチレン樹脂等の合成樹脂製等で所定の厚さに形成され長手方向に直交する横断面が略方形状等に形成された台座部材２の台座本体、５は台座本体４の上面の長手方向に連続して形成された溝部、５ａは溝部５の内側面であり、本実施の形態においては溝部５の横断面が略矩形状のさね溝状に形成されている。６は台座部材４の下面の長手方向に連続して横断面が略矩形状に形成された突条部、７は台座部材４の長手方向の両端部に形成された開口部であり、本実施の形態１においては台座部材４は両端部に開口部７を有する中空状に形成されている。
１０，１０は硬質塩化ビニル樹脂，ポリプロピレン樹脂，ＡＢＳ樹脂，高密度ポリエチレン樹脂等の合成樹脂製等で形成された固定部材３の固定部材本体、１１は各々の固定部材本体１０の下端部に形成され台座部材２の台座本体４の上面に形成された溝部５に着脱自在に嵌合される嵌合部、１２は固定部材本体１０の嵌合部１１より上方の所定部に形設され台座本体４の上面に載置される下水管等の管Ｓの外周面の一部を点や面で当接する管当接部である。本実施の形態においては、管当接部１２は略円弧状に形成されている。また、固定部材３は、２個を一組として管当接部１２が内側を向くように溝部５に嵌合されている。
【００２４】
図２において、３は固定部材、１０は固定部材本体、１１は嵌合部、１２は管当接部である。１３は固定部材本体１０の下端面１０ａの両側部に溝部５の内側面５ａの高さと略同一の高さに突設された嵌合部１１の嵌合片、１４は嵌合部１１の嵌合片１３が管当接部１２側でわずかに幅狭に形成された幅狭部、１５は固定部材本体１０の頂部、１６は管当接部１２の反対面側の固定部材本体１０に形成された固定部材端部である。
【００２５】
図３（ａ）、図３（ｂ）において、２０は台座本体４の上面に形成された溝部５に下面に形成された突条部６が嵌合されて台座本体４の上面に載置された他の台座部材、２１は台座部材２０の台座本体、２２は台座本体２１の上面の長手方向に連続して形成され固定部材３の嵌合部１１が着脱自在に嵌合される溝部、２３は台座本体４の長手方向の両端部に形成された開口部７を閉塞する蓋部、２４は台座本体２１の長手方向の両端部に形成された開口部７ａを閉塞する蓋部、２３ａ，２４ａは蓋部２３，２４の裏側に形成され開口部７，７ａの内壁に当接する当接部、４´、２１´は台座本体４、２１の側壁に形成されたリブである。なお、リブ４´、２１´は台座本体４、２１の側壁の肉厚が厚いときは形成しなくてもよい。
ここで、本実施の形態においては、他の台座部材２０の台座本体２１の厚さは、台座部材４の厚さより薄く形成されている。
【００２６】
図４（ａ）において、２ａは台座部材、４ａは台座部材２ａの台座本体、６ａは台座本体４ａの上面に形成された溝部５の幅と略同一の幅で台座本体４ａの下面に２条形成された突条部である。突条部６ａが複数条形成されているので、掘削された地盤が凸凹していても安定に台座部材２ａを載置するのに適している。
図４（ｂ）において、５ｂは台座部材２ｂの台座本体４ａの上面に蟻溝状に形成された溝部、５ｃは蟻溝状の溝部５ｂの上側の係止突片である。台座部材２ｂを複数積み重ねると、蟻溝状の溝部５ｂの係止突片５ｃで略矩形状の突条部６の側壁が押圧されて突条部６が嵌合されるので、溝部５ｂの内側面と突条部６の側面との間に隙間ができ、掘削された地盤に台座部材２ａを載置したとき溝部５ｂ内に砂等が入ってもスムーズに嵌合することができる。
図４（ｃ）において、５ｄは台座部材２ｃの台座本体４ａの上面に鎌溝状に形成された溝部、５ｅは溝部５ｄの側壁の下部に窪み状に形成された嵌着部、６ｂは台座本体４ａの下面に基部側が細く形成された突条部、６ｃは突条部６ｂの先端側が基部側より太く形成された突起部である。台座部材２ｃを複数積み重ねると、溝部５ｄの嵌着部５ｅに突条部６ｂの突起部６ｃが嵌合されるので、固定を確実にする場合に適している。なお、この場合、溝部５ｄの端から突条部６ｂをスライドさせて嵌合させ、台座部材２ｃを複数積み重ねる。嵌着部５ｅや突起部６ｃが小さく形成されている場合は、突条部６ｂを溝部５ｄの上方から叩き込んで嵌合させることもできる。
【００２７】
以上のように構成された本発明の実施の形態１における配管支持具について、図面を参照しながら以下その使用方法を説明する。
図５は実施の形態１における配管支持具の使用状態を示す横断面図である。
図中、３０は下水管等の管Ｓが敷設される地盤が所定の深さで掘削された掘削面である。
まず、台座部材２の台座本体４の厚さと略同一の深さに地盤を掘削して掘削面３０を形成する。次に、掘削面３０に所定の間隔をあけて台座本体４を敷き並べる。台座部材４の厚さより深く掘れてしまう余堀りが発生した場合は、余堀りの深さと略同一の厚さで形成された他の台座本体２１を準備して、台座本体２１の下面に形成された突条部２１ａを台座本体４の上面に形成された溝部５に嵌合させて積み重ねて載置する。必要に応じて、台座本体４，２１の両端部に形成された開口部７等に蓋部２３，２４を装着して開口部７等を閉塞する。
台座本体４，２１の上面に管Ｓを載置した後、準備した固定部材３の固定部材本体１０，１０の頂部１５，１５をハンマー等で叩き込み、台座本体４の上面に形成された溝部５に固定部材３の嵌合部１１，１１を嵌合させる。同様に、台座本体２１の上面に形成された溝部２２にも固定部材３を嵌合させる。
次に、載置された管Ｓの外周面に固定部材３の管当接部１２，１２が当接するまで固定部材３の固定部材端部１６をハンマー等で叩いて固定部材本体固定１０をスライドさせ、管Ｓが横方向にずれないように固定する。次いで、砂，土，砕石等を用いて台座部材２や管Ｓ等を埋設する。
【００２８】
以上のように実施の形態１における配管支持具は構成されているので、以下のような作用が得られる。
（１）台座本体４の上面の長手方向に連続して形成された溝部５と、台座本体４の下面に他の台座本体２１に形成された溝部２２に嵌合可能に形成された突条部６と、を有する台座部材２を備えているので、所定の厚さで形成された複数の台座部材２を積み重ねて高さを自在に調整することができ、地盤を正確な深さで掘削したり掘削された地盤を平らに整地する作業や、掘削された地盤を余堀り分だけ一部埋め戻して掘削面３０の深さを調整等する作業が不要で、配管施工の作業性を高めることができる。
（２）台座部材２の高さを容易に所定の高さに設定できるので、所定の勾配を設けて配管を敷設することが容易にできる。
（３）溝部５が台座本体４の上面の長手方向に連続して形成されているので、長尺の台座部材２を形成しておき、施工現場の状況に応じて施工現場で所定の長さに切断して用いることができ自在性に優れる。
（４）固定部材３を備えているので、嵌合部１１を台座部材２の台座本体４の上面に形成された溝部５に嵌合させて、載置された管Ｓの外周面に管当接部１２を当接させて管Ｓが横方向にずれるのを防止でき安定性に優れる。
（５）台座部材２の台座本体４が長手方向の両端部に開口部７を有する中空状に形成されているので、軽量にできるとともに、施工現場で所定の長さに切断する際に容易に切断することができ作業性に優れる。
（６）中実状に形成された台座本体と比較して少ない資材で製造できるため省資源性に優れる。
（７）開口部７，７ａを閉塞する蓋部２３，２４を備えているので、蓋部２３，２４で開口部７，７ａを閉塞した後に掘削面３０内に配置することで開口部７，７ａ内に地盤を構成する土，砂，砕石等が入らず、埋設された台座部材２の周囲の地盤が沈下するのを防止することができる。
（８）蓋部２３，２４の裏側に開口部７，７ａの内壁に当接する当接部２３ａ，２４ａを形成することにより、中空状の台座本体４，２１を補強して側壁が一方向に潰れたり座屈するのを防止できる。
（９）固定部材３の嵌合部１１が管当接部１２側で幅狭に形成された幅狭部１４を有しているので、溝部５に嵌合部１１を嵌合させた固定部材３をハンマー等で打ち込んで管当接部１２間に載置される管Ｓの方向に移動させ易いため作業性に優れ、また管Ｓの外周面に管当接部１２を確実に当接させることができ、さらに楔効果により固定部材３の固定部材本体１０，１０間の距離が広がり難くすることができ管Ｓを確実に固定することができる。
（１０）嵌合部１１が、固定部材本体１０の下端面１０ａの両側部に溝部５の内側面５ａの高さと略同一の高さに突設された嵌合片１３を有しているので、嵌合片１３が変形し易く溝部５に容易に嵌合させることができ作業性に優れる。
（１１）固定部材３が、固定部材本体１０の２個を一組として、管Ｓの外周面の一部を点や面で当接する略円弧状に形成された管当接部１２を有しているので、台座部材２の溝部５に嵌合される固定部材本体１０，１０間の距離を自在に設定することができ、種々の外径の管Ｓに対応して管Ｓが横方向にずれないように確実に固定することができ自在性に優れる。
（１２）リブ４´，２１´を備えているので、台座本体４，２１の側壁の厚さを薄くでき、かつ、機械的強度を維持して座屈するのを防止できる。
【００２９】
なお、実施の形態１においては、固定部材３が略円弧状に形成された管当接部１２を備えた場合について説明したが、略傾斜面状，略垂直面状等に形成された管当接部を有し、管Ｓの一部を点で当接させる場合もある。この場合も同様の作用が得られる。
また、他の台座部材２１の厚さが台座部材４の厚さよりも薄く形成された場合について説明したが、台座部材４の厚さをより薄く形成して、台座部材４と台座部材２１の厚さを略同一の厚さに形成しておき、略同一の厚さの台座部材を複数重ねて用いる場合もある。これにより、積み重ねられた台座部材の厚さを微調整できるという作用が得られる。
【産業上の利用可能性】
【００３０】
本発明は、各種配管を敷設する際に使用する配管支持具に関し、高さを自在に調整することができるので、余堀りに対応して掘削された溝を一部埋め戻して深さを調整したり丁度良い厚さの横木を探したり横木の厚さを調整したりする作業が不要で配管施工の作業性を高めることができ、また施工現場の状況に応じて施工現場で所定の長さに切断して用いることができ自在性に優れた配管支持具を提供することができる。
【図面の簡単な説明】
【００３１】
【図１】実施の形態１における配管支持具の斜視図
【図２】（ａ）実施の形態１における配管支持具の固定部材の正面図  （ｂ）固定部材の側面図  （ｃ）固定部材の底面図
【図３】（ａ）実施の形態１における配管支持具の変形例を示す斜視図  （ｂ）蓋部で閉塞された台座部材の開口部を示す図３（ａ）のＡ−Ａ線における要部断面図
【図４】配管支持具の台座部材の変形例を示す横断面図  実施の形態１における配管支持具の変形例を示す斜視図
【図５】実施の形態１における配管支持具の使用状態を示す横断面図
【符号の説明】
【００３２】
１  配管支持具
２，２ａ，２ｂ，２ｃ  台座部材
３  固定部材
４，４ａ  台座本体
４´  リブ
５，５ｂ，５ｄ  溝部
５ａ  内側面
５ｃ  係止突片
５ｅ  嵌着部
６，６ａ，６ｂ  突条部
６ｃ  突起部
７，７ａ  開口部
１０  固定部材本体
１０ａ  下端面
１１  嵌合部
１２  管当接部
１３  嵌合片
１４  幅狭部
１５  頂部
１６  固定部材端部
２０  台座部材
２１  台座本体
２１´  リブ
２２  溝部
２３，２４  蓋部
２３ａ，２４ａ  当接部
３０  掘削面
Ｓ  管
【図１】
2005106201.tif 000003
【図２】
2005106201.tif 000004
【図３】
2005106201.tif 000005
【図４】
2005106201.tif 000006
【図５】
2005106201.tif 000007